(57)【要約】【課題】ティッシュを引き出したときにキャラクターの音声が流れる、縫いぐるみタイプのティッシュボックスケースを提供する。【解決手段】ティッシュボックスケース１は、キャラクターの形状を有する縫いぐるみタイプのケース本体１０と、ケース本体１０の内側に配置されていてキャラクターの音声を再生するためのモジュール３０と、を備え、モジュール３０が、ティッシュの引き出しを感知する振動感知センサ３１と、キャラクターの音声を再生するスピーカ３３と、振動感知センサ３１がティッシュの引き出しを感知したときにスピーカ３３にキャラクターの音声を再生させるように構成された回路基板３４と、を有する。【選択図】図２
0003205840.tif 000002
【実用新案登録請求の範囲】
【請求項１】
キャラクターの音声が流れるティッシュボックスケースであって、
ティッシュボックスを収納し、キャラクターの形状を有する縫いぐるみタイプのケース本体と、
前記ケース本体の内側に配置されていて前記キャラクターの音声を再生するためのモジュールと、を備え、
前記モジュールが、ティッシュの引き出しを感知する振動感知センサと、前記キャラクターの音声を再生するスピーカと、前記振動感知センサが前記ティッシュの引き出しを感知したときに前記スピーカに前記キャラクターの音声を再生させるように構成された回路基板と、を有することを特徴とするティッシュボックスケース。
【請求項２】
前記回路基板が、前記キャラクターの音声を複数記憶する記憶部と、記憶した前記キャラクターの音声を前記スピーカに所定の順序で再生させる制御部と、を更に有する、請求項１に記載のティッシュボックスケース。
【請求項３】
前記所定の順番で再生させるキャラクターの複数の音声がストーリー性又は連続性を有する、請求項２に記載のティッシュボックスケース。
【請求項４】
前記スピーカが、前記キャラクターの頭部近傍に配置されている、請求項１に記載のティッシュボックスケース。
【考案の詳細な説明】
【技術分野】
【０００１】
本考案は、キャラクターの音声が流れるティッシュボックスケースに関する。
【背景技術】
【０００２】
従来、ティッシュペーパーの取出しの度に、興味を引くような音声を発し、使用者を楽しませるティッシュペーパーの収納箱が、例えば特許文献１に開示されている。
【先行技術文献】
【特許文献】
【０００３】
【特許文献１】実用新案登録第３１３２２６６号公報
【考案の概要】
【考案が解決しようとする課題】
【０００４】
しかしながら、ティッシュを引き出したときにキャラクターの音声が流れる縫いぐるみタイプのティッシュボックスケースは見当たらなかった。
【課題を解決するための手段】
【０００５】
本考案の第１の態様は、キャラクターの音声が流れるティッシュボックスケースであって、キャラクターの形状を有する縫いぐるみタイプのケース本体と、ケース本体の内側に配置されていてキャラクターの音声を再生するためのモジュールと、を備え、モジュールが、ティッシュの引き出しを感知する振動感知センサと、キャラクターの音声を再生するスピーカと、振動感知センサがティッシュの引き出しを感知したときにスピーカにキャラクターの音声を再生させるように構成された回路基板と、を有する、ティッシュボックスケースを提供する。
本考案の第２の態様は、第１の態様において、回路基板が、キャラクターの音声を複数記憶する記憶部と、記憶したキャラクターの音声をスピーカに所定の順番で再生させる制御部と、を更に有する、ティッシュボックスケースを提供する。
本考案の第３の態様は、第２の態様において、所定の順番で再生させるキャラクターの複数の音声がストーリー性又は連続性を有する、ティッシュボックスケースを提供する。
本考案の第４の態様は、第１の態様において、スピーカが、ケース本体のキャラクターの頭部近傍に配置されている、ティッシュボックスケースを提供する。
【考案の効果】
【０００６】
本考案に係るティッシュボックスケースによれば、ティッシュを引き出したときにキャラクターの音声が流れる縫いぐるみタイプのティッシュボックスケースを提供できる。
【図面の簡単な説明】
【０００７】
【図１】本考案の一実施形態におけるティッシュボックスケースの平面図である。
【図２】本考案の一実施形態におけるティッシュボックスケースの側面図である。
【図３】本考案の一実施形態におけるティッシュボックスケースのケース本体の底面図である。
【図４】本考案の一実施形態におけるティッシュボックスケースの台座の平面図である。
【図５】本考案の一実施形態のティッシュボックスケースに収納されるモジュールの平面図である。
【図６】本考案の一実施形態のティッシュボックスケースに収納されるモジュールの図５のＶＩ−ＶＩ線に沿った断面図である。
【図７】本考案の一実施形態のティッシュボックスケースに収納されるモジュールの背面図である。
【図８】本考案の一実施形態のティッシュボックスケースの使用状態を示す図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態におけるティッシュボックスケース１の平面図であり、図２は、本実施形態におけるティッシュボックスケース１の側面図である。図１及び図２に示すように、ティッシュボックスケース１は、ティッシュボックス２を収納するケース本体１０と、ケース本体１０を着座させる台座２０と、キャラクターの音声を再生するモジュール３０と、ケース本体１０に取り付けたオプション部材４０と、を有する。
【００１０】
ケース本体１０は、ボア生地及び中綿等からなる縫いぐるみタイプの縫製物であって、卵の黄身を模したキャラクターの形状を有している。ケース本体１０の天面には、ティッシュを引き出す引出口１１が形成されており、ケース本体１０の底面には、面ファスナー１４〜１７により台座２０が脱着可能に取り付けられている。
【００１１】
台座２０は、ボア生地等からなる縫製物であって、卵の白身を模した形状を有している。後述するように、台座２０をケース本体１０から取り外すことにより、ケース本体１０の底面からモジュール３０をケース本体１０の内側に取り付けることができる。
【００１２】
モジュール３０は、ティッシュの引き出しを感知する振動感知センサ３１と、振動感知センサ３１に接続されたモジュール本体３２と、を有する。振動感知センサ３１は、ティッシュの引出口１１の近傍に配置されており、ティッシュの引き出しだけでなく、ユーザが引出口１１の近傍を触れた場合及びユーザが手を叩いた場合にも反応する感度を有している。
【００１３】
オプション部材４０は、ボア生地等からなる縫製物であって、ベーコンを模した形状を有している。オプション部材４０は、面ファスナー等によりケース本体１０に脱着可能に取り付けることが可能である。
【００１４】
図３は、本実施形態におけるティッシュボックスケース１のケース本体１０の底面図であり、図４は、本実施形態におけるティッシュボックスケース１の台座２０の平面図である。図３及び図４に示すように、ケース本体１０は、面ファスナー１４〜１７を引き剥がすことにより、台座２０から取り外される。ケース本体１０の底部には、ティッシュボックス２を収納する開口部１２が形成されており、開口部１２には、ファスナー１３が配設されている。モジュール３０は、開口部１２を通ってケース本体１０の内側に取り付けられる。
【００１５】
図５は、本実施形態のティッシュボックスケース１に収納されるモジュール３０の平面図であり、図６は、本実施形態のティッシュボックスケースに収納されるモジュール３０の図５のＶＩ−ＶＩ線に沿った断面図であり、図７は、本実施形態のティッシュボックスケースに収納されるモジュール３０の背面図である。図５及び図７に示すように、モジュール３０は、ティッシュの引き出しを感知する振動感知センサ３１と、振動感知センサ３１に接続されたモジュール本体３２と、を有している。
【００１６】
図６に示すように、モジュール本体３２は、キャラクターの音声を再生するスピーカ３３と、振動感知センサ３１がティッシュの引き出しを感知したときにスピーカ３３にキャラクターの音声を再生させるように構成された回路基板３４と、回路基板３４に電源を供給する電池３５と、電池３５を収納する電池収納ボックス３６と、を有する。図７に示すように、モジュール本体３２の背部から電池収納ボックス３６を開閉することにより、電池３５を容易に交換できる。また、モジュール本体３２は、電源スイッチ３７を更に有しており、電源スイッチ３７をオフにすることにより、ティッシュボックスケース１を使用しないときの電池の消耗を防止することができる。
【００１７】
回路基板３４は、図示しないものの、マイクロコンピュータを有しており、マイクロコンピュータは、キャラクターの音声を１３種類記憶する記憶部と、記憶したキャラクターの音声をスピーカ３３に所定の順序で再生させる制御部と、を更に有している。回路基板３４は、以下のようなキャラクターの音声を（１Ａ）〜（１３Ｅ）の順序で繰り返しスピーカ３３に再生させる。キャラクターの音声はストーリー性又は連続性を有しており、Ａグループは使い易くて何度聞いても良さそうなセリフを有し、Ｂグループはキャラクターがくしゃみをするストーリーを有し、Ｃグループは「ぬぐう」に関するストーリーを有し、Ｄグループは「おねだり」に関するストーリーを有し、Ｅグループは最後まで聞いてくれた人に対する特別なロングトークを有している。これにより、ユーザは、ティッシュを連続して引き出した場合に、ストーリー性又は連続性のあるキャラクターの音声を楽しむことができる。
（１Ａ）こぼした〜？
（２Ａ）使いすぎじゃね？
（３Ｂ）ズビズビ・・・
（４Ｂ）へくしょん！
（５Ｂ）はなみず
（６Ｃ）過去はぬぐえない・・・
（７Ｃ）ふきなよ
（８Ｃ）むにゃ〜
（９Ｃ）ふくのだりぃ〜
（１０Ｄ）キレイにしといて
（１１Ｄ）強さより優しさっしょ
（１２Ｄ）あ〜ねみぃ〜
（１３Ｅ）カラザはもらってもうれしくないだろうからティッシュあげるわ、似たようなもんっしょ
【００１８】
図５に示すように、スピーカ３３で再生されたキャラクターの音声は、モジュール本体３２に形成された複数の音穴３８を通って流れる。図２に示すように、スピーカ３３は、キャラクターの頭部近傍に配置されているため、あたかもキャラクターが喋っているかのように見える。
【００１９】
図８を参照して、モジュール３０が音声を再生する手順について説明する。図８は、本実施形態のティッシュボックスケースの使用状態を示す図である。ユーザがティッシュを引出口１１から引き出すと、振動感知センサ３１がティッシュボックス２の振動を感知して回路基板３４を作動させる。回路基板３４は、キャラクターの音声（２Ａ）「使いすぎじゃね？」をスピーカ３３に再生させる。
【００２０】
ここで、本考案の作用効果について説明する。本考案に係るティッシュボックスケース１によれば、ティッシュを引き出したときにキャラクターの音声が流れる縫いぐるみタイプのティッシュボックスケース１を提供できる。スピーカ３３は、ケース本体１０の内部のキャラクターの頭部近傍に配置されるため、あたかもキャラクターが喋っているかのように見えるティッシュボックスケース１を提供できる。また、キャラクターの複数の音声が前述した（１Ａ）〜（１３Ｅ）の順序で再生され、ストーリー性又は連続性を有しているため、ティッシュを連続して使用した場合には、ストーリー性又は連続性のあるキャラクターの音声を楽しむことができる。
【００２１】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００２２】
１    ティッシュボックスケース
２    ティッシュボックス
１０    ケース本体
１１    引出口
３０    モジュール
３１    振動感知センサ
３２    モジュール本体
３３    スピーカ
３４    回路基板
【図１】
0003205840.tif 000003
【図２】
0003205840.tif 000004
【図３】
0003205840.tif 000005
【図４】
0003205840.tif 000006
【図５】
0003205840.tif 000007
【図６】
0003205840.tif 000008
【図７】
0003205840.tif 000009
【図８】
0003205840.tif 000010